(57)【特許請求の範囲】
【請求項１】
カメラ本体の動作を設定する各項目のアイコンをメニュー画面上に配置して表示する機能を有する電子カメラと、この電子カメラにアイコン用の画像データを提供するサーバコンピュータとがネットワークを介して接続される電子カメラシステムであって、
前記サーバコンピュータは、
前記電子カメラが表示するメニュー画面上に配置されるアイコン用の画像データであって、撮影画像からなるアイコン用の画像データを格納する画像データ格納手段と、
前記画像データ格納手段に格納された前記撮影画像からなるアイコン用の画像データを前記ネットワークを介して公開する画像データ公開手段と、
を具備し、
前記電子カメラは、
表示装置と、
前記サーバコンピュータが前記ネットワークを介して公開する撮影画像からなるアイコン用の画像データを受信する通信コントローラと、
前記受信された撮影画像からなるアイコン用の画像データを前記表示装置を用いて表示し、当該撮影画像からなるアイコン用の画像データに対応させて選択された撮影条件の項目を、当該撮影画像からなるアイコン用の画像データに対応づけて登録するアイコン登録部と、
を具備する
ことを特徴とする電子カメラシステム。
【請求項２】
カメラ本体の動作を設定する各項目のアイコンをメニュー画面上に配置して表示する機能を有し、撮影画像からなるアイコン用の画像データを提供するサーバコンピュータとネットワークを介して接続可能な電子カメラであって、
表示装置と、
前記サーバコンピュータが前記ネットワークを介して公開する撮影画像からなるアイコン用の画像データを受信する通信コントローラと、
前記受信された撮影画像からなるアイコン用の画像データを前記表示装置を用いて表示し、当該撮影画像からなるアイコン用の画像データに対応させて選択された撮影条件の項目を、当該撮影画像からなるアイコン用の画像データに対応づけて登録するアイコン登録部と
を具備することを特徴とする電子カメラ。
【発明の詳細な説明】
【０００１】
【発明の属する技術分野】
この発明は、電子カメラのユーザが、たとえばインターネット等のネットワークを介して公開される多数のアイコン画像の中から気に入ったアイコン画像を入手して、カメラ本体のメニュー画面に用いることを可能とする電子カメラシステム、電子カメラ、サーバコンピュータおよび携帯情報端末に関する。
【０００２】
【従来の技術】
近年、被写体像を撮像光学系により固体撮像素子、たとえばＣＣＤ２次元イメージセンサ上に結像して電気信号に変換し、これにより得られた静止画像の画像データを半導体メモリや磁気ディスクのような記録媒体に記録する、いわゆる電子カメラが広く普及しつつある。
【０００３】
この種の電子カメラは、撮影した画像を再生するためのモニタを備えるものがほとんどであり、ユーザは、撮影した画像をその場で即座に観賞することが可能である。
【０００４】
また、このモニタは、画像を再生するために利用されるほか、操作ガイドを表示するためにも利用される。たとえば、撮影モードとして、プログラムモードやマニュアルモード等の複数のモードをもつ電子カメラの場合、「プログラムモード」、「マニュアルモード」といった文字列や、あるいは、これらを表すマークなどをアイコンとしたメニュー画面をモニタ上に表示し、これらを選択指示させることにより、わかりやすく操作できるようにしている。
【０００５】
【発明が解決しようとする課題】
しかしながら、このような画一的な文字列やマークなどを選択肢としたメニュー画面は、ユーザインタフェースとしては無個性であり、また、このメニュー画面をユーザ自らがデザインし、あるいはカスタマイズするといったことはまったく行えないため、操作面での面白味に欠け、製品に対する愛着感をユーザに持たせるのが難しかった。
【０００６】
この発明はこのような事情を考慮してなされたものであり、電子カメラのユーザが、たとえばインターネット等のネットワークを介して公開される多数のアイコン画像の中から気に入ったアイコン画像を入手して、カメラ本体のメニュー画面に用いることを可能とする電子カメラシステムおよび電子カメラを提供することを目的とする。
【０００７】
【課題を解決するための手段】
前述した目的を達成するために、この発明の電子カメラシステムは、カメラ本体の動作を設定する各項目のアイコンをメニュー画面上に配置して表示する機能を有する電子カメラと、この電子カメラにアイコン用の画像データを提供するサーバコンピュータとがネットワークを介して接続される電子カメラシステムであって、前記サーバコンピュータは、前記電子カメラが表示するメニュー画面上に配置されるアイコン用の画像データであって、撮影画像からなるアイコン用の画像データを格納する画像データ格納手段と、前記画像データ格納手段に格納された前記撮影画像からなるアイコン用の画像データを前記ネットワークを介して公開する画像データ公開手段と、を具備し、前記電子カメラは、表示装置と、前記サーバコンピュータが前記ネットワークを介して公開する撮影画像からなるアイコン用の画像データを受信する通信コントローラと、前記受信された撮影画像からなるアイコン用の画像データを前記表示装置を用いて表示し、当該撮影画像からなるアイコン用の画像データに対応させて選択された撮影条件の項目を、当該撮影画像からなるアイコン用の画像データに対応づけて登録するアイコン登録部と、を具備することを特徴とする。
【０００８】
この発明の電子カメラシステムにおいては、インターネット等のネットワークを介して公開される多種多様なアイコン画像の中からユーザ自らが任意に選択・登録できるため、個性的なメニュー画面を各ユーザが思い思いに作成することを可能とする。
【０００９】
また、各電子カメラが、メニュー画面上に配置して好適な画像データの提供をサーバコンピュータから受けるため、このアイコン画像を作成する機能を各電子カメラに設ける必要がなく、さらに、このアイコン画像を常時入手可能とすることにより、各電子カメラが多種多様なアイコン画像を管理する必要がない。
【００１１】
【発明の実施の形態】
以下、図面を参照してこの発明の実施形態を説明する。
【００１２】
図１は、この発明の実施形態に係る電子カメラシステムの全体構成を示す図である。
【００１３】
図１に示すように、この電子カメラシステムは、サーバコンピュータ１と電子カメラ２とがインターネットＡを介して接続される。なお、ここでは、説明をわかりやすくするために、図１には電子カメラ２を１台のみ示したが、実際には、複数の電子カメラ２がインターネットＡを介してサーバコンピュータ１と接続される。
【００１４】
また、図２は、サーバコンピュータ１の内部構成を示す図である。
【００１５】
図２に示すように、このサーバコンピュータ１は、ＣＰＵ１１、システムメモリ１２、ハードディスク装置１３、ディスプレイコントローラ１４、キーボードコントローラ１５および通信コントローラ１６を備えている。
【００１６】
ＣＰＵ１１は、このサーバコンピュータ１全体の制御を司るものであり、システムメモリ１２に格納されたオペレーティングシステムやユーティリティを含む各種プログラムの記述に沿って動作する。システムメモリ１２は、このサーバコンピュータ１の主記憶となるメモリデバイスであり、ＣＰＵ１１の動作手順を記述したオペレーティングシステムやユーティリティを含む各種プログラムと、この各種プログラムに用いられ、あるいは各種プログラムにより作成された各種データとを格納する。そして、このサーバコンピュータ１のすべての機能は、このシステムメモリ１２に格納された各種プログラムの記述に沿ってＣＰＵ１１が動作することにより実現されている。
【００１７】
ハードディスク装置１３は、このサーバコンピュータ１の外部記憶となるメモリデバイスであり、システムメモリ１２にロードされ、あるいはシステムメモリ１２からスワップされた各種プログラムや各種データを格納する。そして、このハードディスク装置１３に、インターネットＡを介して公開され、電子カメラ２本体の動作を設定する各項目のアイコンとしてメニュー画面上に配置されるアイコン用の画像データ（アイコン画像）が種々格納される。
【００１８】
ディスプレイコントローラ１４は、このサーバコンピュータ１におけるユーザインタフェースのアウトプットを司るものであり、ＣＰＵ１１が作成した表示データをＬＣＤなどの表示装置に表示制御する。一方、キーボードコントローラ１５は、このサーバコンピュータ１におけるユーザインタフェースのインプットを司るものであり、キーボードやマウスなどの操作をデータ化してＣＰＵ１１に引き渡す。
【００１９】
そして、通信コントローラ１６は、インターネットＡを介した電子カメラ２との間のデータ通信を実行するものであり、所定のプロトコルに基づき、電子カメラ２との接続やデータ授受を制御する。
【００２０】
このような構成をもつサーバコンピュータ１では、まず、ハードディスク装置１３に格納された種々のアイコン画像を、電子カメラ２向けに、インターネットＡを介して公開する。このアイコン画像は、電子カメラ２のモニタにアイコンとして表示する際に適したサイズおよび画質で作成されており、このアイコン画像を入手した電子カメラ２では、何ら加工を施す必要がない。つまり、電子カメラ２は、アイコン画像の作成および加工のための手段を一切持ち合わせる必要がない。
【００２１】
この公開は、閲覧プログラム（ブラウザ）が参照可能な形式、いわゆるホームページ形式で行う。また、このホームページ上では、各アイコン画像をサンプル表示して、電子カメラ２の閲覧プログラムからいずれかのアイコン画像の転送要求が送信されたときに、該当するアイコン画像を返送する。なお、これらの機能は、前述の通り、システムメモリ１２に格納された各種プログラムの記述に沿ってＣＰＵ１１が動作することにより実現される。
【００２２】
また、図３は、電子カメラ２の内部構成を示す図である。
【００２３】
図３において、被写体光は、レンズ２１を通過した後、絞り２２により光量が制御される。レンズ２１はＡＦモータ２３により駆動され、絞り２２は絞りモータ２４により駆動される。レンズ２１および絞り２２を通過した被写体光は、カラー固体撮像素子であるＣＣＤ２次元カラーイメージセンサ（以下、単にＣＣＤという）２５に入射し、これにより、ＣＣＤ２５の撮像面上に被写体像が結像される。
【００２４】
ＣＣＤ２５は、光電変換を行なう複数の画素を２次元のマトリクス状に配列して撮像面を構成し、さらに撮像面にカラーフィルタを配置したものであり、ＣＣＤドライバ２６によって駆動制御されることにより、撮像面に結像された被写体像に対応した信号電荷を蓄積する。この撮像面に蓄積された信号電荷は、画素信号と呼ばれる電気信号としてＣＣＤ２５から読み出される。
【００２５】
ＣＣＤ２５から読み出された画素信号は、Ａ／Ｄ変換器２７によりデジタル信号に変換された後、ＡＥ（自動露出）処理部２８、ＡＦ（自動焦点調整）処理部２９および画像処理部３０に入力される。
【００２６】
ＡＥ処理部２８では、Ａ／Ｄ変換器２７より出力されるデジタル化された画素信号を受け、各画素からの画素信号の累積加算を主体とする演算処理を行ない、この累積加算値に基づき被写体の明るさに応じたＡＥ評価値を求める。
【００２７】
ＡＦ処理部２９では、Ａ／Ｄ変換器２７より出力されるデジタル化された画素信号を受け、たとえば１画面分の画素信号の高周波成分をハイパスフィルタにより抽出し、これに対して累積加算等の演算処理を行なうことによって高域側の輪郭成分量に対応するＡＦ評価値を算出する。
【００２８】
画像処理部３０では、画素信号に対してＩＳＯ感度設定、オートホワイトバランス（ＡＷＢ）、輝度／色信号生成、ガンマ処理等が施されることにより、所定フォーマットのカラー画像信号が生成される。
【００２９】
この画像処理部３０によって生成されたカラー画像信号は、たとえばＤＲＡＭからなるバッファメモリ３１に一時的に記憶される。このバッファメモリ３１には圧縮／伸長処理部３４が接続され、圧縮／伸長処理部３４にはさらに記録／再生処理部３５が接続される。この圧縮／伸長処理部３４は、バッファメモリ３１に記憶された画像信号に圧縮（符号化）処理を施して記録媒体３６への記録に適した形態とするための圧縮処理部と、記録媒体３６に記録された画像データに伸長（復号化）処理を施す伸長処理部とからなる。この圧縮処理の方式としては、たとえばＪＰＥＧ方式が用いられるが、これに限られるものではない。また、再生時は、伸長処理された画像信号はバッファメモリ３１に一時記憶され、表示処理部２２を経てカラー液晶ディスプレイ３３で適宜表示される。
【００３０】
一方、記録／再生処理部３５は、記録媒体３６に対して画像データを記録したり、記録媒体３６から画像データを読み出す処理を行なう。記録媒体３６は、たとえばカード型フラッシュメモリのような半導体メモリにより構成されたメモリカードが一般的に使用されるが、メモリカードに限られるものではなく、たとえばハードディスクやフロッピーディスクのような磁気記録媒体等、種々の形態のものを使用できる。
【００３１】
通信コントローラ３７は、インターネットＡを介したサーバコンピュータ１との間のデータ通信を実行するものであり、所定のプロトコルに基づき、サーバコンピュータ１との接続やデータ授受を制御する。
【００３２】
以上の動作は、すべてシステムコントローラ３８によりその制御が司られ、システムコントローラ３８は、ＡＥ処理部２８およびＡＦ処理部２９の処理結果と操作部３９からの指令に基づいて各部を制御する。具体的には、システムコントローラ３８は画像処理部３０、バッファメモリ３１、表示処理部３２、圧縮／伸長処理部３４、記録／再生処理部３５、通信コントローラ３７、ＡＦモータ２３および絞りモータ２４を駆動するモータドライバ４０，４１の制御を行なう。
【００３３】
すなわち、システムコントローラ３８は、ＡＥ処理部２８で得られたＡＥ評価値に基づいてモータドライバ４１を制御し、絞りモータ２４を介して絞り２２を制御することで光量を制御したり、さらにはＣＣＤドライバ２６を介してＣＣＤ２５の電荷蓄積時間を制御することにより、自動露出（ＡＥ）処理を行なう。また、システムコントローラ３８は、ＡＦ処理部２９で得られたＡＦ評価値に基づいてモータドライバ４０を制御し、ＡＦモータ２３を介して撮像レンズ２１を光軸方向に移動させて自動焦点調整（ＡＦ）処理を行なう。
【００３４】
操作部３９は、カメラのユーザによる操作に基づき、各種の動作を行なわせるための指令信号を発生してシステムコントローラ３８に伝達する。具体的には、撮影指示のためのレリーズスイッチや、この電子カメラの動作モードを指示するためのモードスイッチ、各モードでの詳細な設定を指示するための十字キーなどの操作に応じた指令信号を発生させる。
【００３５】
また、システムコントローラ３８は、前述した各種の制御のほか、サーバコンピュータ１がインターネットＡを介して公開するアイコン画像を入手してカメラ本体のメニュー画面に用いるといった、この発明に特有のアイコン画像制御を行なう機能を有する。以下、このアイコン画像制御について詳説する。
【００３６】
このアイコン画像制御を行なうために、システムコントローラ３８は、アイコン画像登録部４２とメニュー表示制御部４３とを備える。また、このために、カメラ本体内には、アイコン画像を格納するためのアイコン画像保持部４４が設けられる。
【００３７】
アイコン画像登録部４２は、まず、第１に、インターネットＡを介して公開されるホームページを閲覧するためのブラウザとして動作し、サーバコンピュータ１が公開するホームページデータを通信コントローラ３７を介して取得した後、カラー液晶ディスプレイ（ＬＣＤ）３３に表示する。そして、このホームページの表示に応答して、操作部３９からいずれかのアイコン画像の取得を指示されると、通信コントローラ３７を介して、サーバコンピュータ１に対して該当するアイコン画像の転送要求を送信するとともに、この要求に対して返送されてきたアイコン画像をアイコン画像保持部４４に格納する。
【００３８】
また、アイコン画像登録部４２は、第２に、メニュー表示制御部４３が各種メニュー画面を表示制御する際に、各項目のアイコンとして、アイコン画像保持部４４に保持させたどのアイコン画像をそれぞれ利用すべきかを管理する。ユーザは、サーバコンピュータ１から取得したアイコン画像を利用する場合、操作部３９を操作して動作モードをカスタムモードに設定する。一方、アイコン画像登録部４２は、アイコンをもつことのできる各項目をカラー液晶ディスプレイ（ＬＣＤ）３３に一覧表示し、アイコンを変更するいずれかの項目を選択させるとともに、アイコン画像保持部４４に格納されたアイコン画像をカラー液晶ディスプレイ（ＬＣＤ）３３に一覧表示し、先に選択した項目用とするいずれかのアイコン画像を選択させる。そして、アイコン画像登録部４２は、そのアイコン画像に対応づけて、その項目を示す項目ＩＤをアイコン画像保持部４４に記録する。
【００３９】
このアイコン画像登録部４２の機能により、アイコン画像を作成する機能を持たなくとも、ユーザは、サーバーコンピュータ１から気に入ったアイコン画像を入手し、この入手したアイコン画像をメニュー画面上で所望の項目のアイコンとして利用できることになる。
【００４０】
一方、メニュー表示制御部４３は、ユーザに操作指示を促すための操作ガイドであるメニュー画面をユーザの操作に応じてカラー液晶ディスプレイ（ＬＣＤ）３３に表示制御するためのものであり、アイコン画像保持部４４に保持されたアイコン画像を各項目のアイコンとして用いながら、各種メニュー画面を表示制御する。このアイコン画像を保持するアイコン画像保持部４４は、各アイコン画像をどの項目のアイコンとして用いるのかを示す項目ＩＤを各アイコン画像と対応づけて保持している。この対応づけは、前述の通り、アイコン画像登録部４２が行う。
【００４１】
このアイコン画像の一例を示すと、たとえば図４の画像は、接写を行うのに最適な撮影モードである「マクロモード」で花畑を撮影したものであり、また、図５の画像は、暗い状況にあってもストロボを発光させずに撮影する「発光禁止モード」でパーティー会場内を撮影したものである。つまり、図４の画像は、「マクロモード」を象徴的に表す画像であり、図５の画像は、「発光禁止モード」を象徴的に表す画像といえる。
【００４２】
そして、この図４の画像が「マクロモード」のアイコン画像として、また、図５の画像が「発光禁止モード」のアイコン画像として、それぞれアイコン画像保持部４４に保持されているものと想定する。
【００４３】
ここで、この「マクロモード」と「発光禁止モード」とが、同一のメニュー画面上でガイド表示される項目であると想定すると、メニュー表示制御部４３は、このメニュー画面をたとえば図６に示すように作成して、カラー液晶ディスプレイ（ＬＣＤ）３３に表示する。
【００４４】
したがって、たとえばサーバコンピュータ１が「マクロモード」や「発光禁止モード」を象徴的に表すアイコン画像をそれぞれ複数種公開すれば、ユーザは、それらの中から気に入ったアイコン画像をそれぞれ入手してメニュー画面上のアイコンとして利用できることになり、各ユーザが、思い思いのメニュー画面を作成することが可能となる。また、このアイコン画像は常時入手可能であるため、この多種多様なアイコン画像を電子カメラ２で管理する必要がない。
【００４５】
なお、この「マクロモード」および「発光禁止モード」は、必ずしも排他選択的に設定されるものではなく、一方の画像を選択指示して設定を行った後、他方の画像を選択指示して設定を行うことにより、双方の設定を行うことも可能である。
【００４６】
次に、図７乃至図９を参照して、この電子カメラシステムの動作手順について説明する。図７は、サーバコンピュータ１の動作手順を説明するためのフローチャートである。
【００４７】
サーバコンピュータ１は、まず、電子カメラ２向けに、アイコン画像をインタネットを介して公開する（ステップＡ１）。そして、電子カメラ２からいずれかのアイコン画像の転送要求を受け取ると（ステップＡ２のＹＥＳ）、その要求されたアイコン画像を返送する（ステップＡ３）。
【００４８】
また、図８および図９は、電子カメラ２の動作手順を説明するためのフローチャートである。
【００４９】
電子カメラ２は、まず、インターネットＡを介して公開されるサーバコンピュータ１のホームページにアクセスし（図８のステップＢ１）、このホームページ上で公開されるアイコン画像の参照を行う。もし、入手したいアイコン画像があれば（図８のステップＢ２のＹＥＳ）、そのアイコン画像の転送要求をサーバコンピュータ１に向けて送信する（図８のステップＢ３）。そして、この転送要求に応じて返送されるアイコン画像を受信して、アイコン画像保存部４４に格納する（図８のステップＢ４）。
【００５０】
また、電子カメラ２は、アイコンをもつことのできる各項目をカラー液晶ディスプレイ（ＬＣＤ）３３に一覧表示し（図９のステップＣ１）、ユーザに、アイコンを変更するいずれかの項目を選択させる（図９のステップＣ２）。次に、このアイコン画像保存部４４に格納されたアイコン画像を一覧表示し（図９のステップＣ３）、この一覧表示したアイコン画像の中から所望のアイコン画像をユーザに選択させる（図９のステップＣ４）。そして、この項目のＩＤをアイコン画像に対応づけてアイコン画像保持部４４に記録する（図９のステップＣ５）。これにより、メニュー表示制御部４３が表示するメニュー画面にこのアイコン画像が利用されることになる。
【００５１】
以上のように、この電子カメラシステムでは、サーバコンピュータ１が、電子カメラ２のメニュー画面上に配置して好適な多種多様なアイコン画像をインターネットＡを介して公開し、電子カメラ２のユーザが、この多種多様なアイコン画像の中から好きなアイコン画像を取り込んでメニュー画面に利用できるようになる。
【００５２】
なお、ここでは、「マクロモード」や「発光禁止モード」等、いわゆる撮像条件設定のための項目を、それらを象徴的に表すアイコン画像により選択指示させる例を説明したが、各項目を象徴的に表すアイコン画像に囚われず、種々のアイコン画像を任意の項目に利用しても良い。また、撮影条件に限られず、たとえば再生条件設定のための項目に適用することも当然に可能である。
【００５３】
また、ここでは、２つのアイコンを同時に表示する例を示したが、このアイコンは必ずしも同時に表示しなければならないものではなく、たとえば操作部３９操作に応じて１つずつ順次に表示していっても構わない。
【００５４】
また、ここでは、電子カメラ２にサーバコンピュータ１とのデータ通信機能を搭載する例を示したが、たとえばサーバコンピュータ１と電子カメラ２との間にいわゆる携帯情報端末を介在させ、この携帯情報端末にデータ通信機能を代替させて、この携帯情報端末から電子カメラ２に対してアイコン画像を送信させるようにしても良い。この場合には、電子カメラ２に搭載する機能を削減することが可能となる。
【００５５】
さらに、通信手段は、前述したインターネット／ホームページ形式に限られるものではなく、たとえば専用回線などを介して直接通信しても良い。
【００５６】
【発明の効果】
以上、詳述したように、この発明によれば、サーバコンピュータが、各電子カメラのメニュー画面上に配置して好適な多種多様なアイコン画像をインターネット等のネットワークを介して公開し、各電子カメラのユーザが、この多種多様なアイコン画像の中から好きなアイコン画像を取り込んでメニュー画面に利用できるようにしたことから、インターネット等のネットワークを介して公開される多種多様なアイコン画像の中からユーザ自らが任意に選択・登録できるため、個性的なメニュー画面を各ユーザが思い思いに作成することを可能とする。
【００５７】
また、各電子カメラが、メニュー画面上に配置して好適な画像データの提供をサーバコンピュータから受けるため、このアイコン画像を作成する機能を各電子カメラに設ける必要がなく、さらに、このアイコン画像を常時入手可能とすることにより、各電子カメラが多種多様なアイコン画像を管理する必要がない。
【図面の簡単な説明】
【図１】この発明の実施形態に係る電子カメラシステムの全体構成を示す図。
【図２】同実施形態のサーバコンピュータの内部構成を示す図。
【図３】同実施形態の電子カメラの内部構成を示す図。
【図４】同実施形態の電子カメラシステムで利用されるアイコン画像を例示する第１の図（マクロモード用のアイコン画像）。
【図５】同実施形態の電子カメラシステムで利用されるアイコン画像を例示する第２の図（発光禁止モード用のアイコン画像）。
【図６】同実施形態の電子カメラがサーバコンピュータから入手したアイコン画像を利用して表示するメニュー画面を例示する図。
【図７】同実施形態の電子カメラシステムにおけるサーバコンピュータの動作手順を説明するためのフローチャート。
【図８】同実施形態の電子カメラシステムにおける電子カメラの動作手順を説明するための第１のフローチャート。
【図９】同実施形態の電子カメラシステムにおける電子カメラの動作手順を説明するための第２のフローチャート。
【符号の説明】
１…サーバコンピュータ
２…電子カメラ
１１…ＣＰＵ
１２…システムメモリ
１３…ハードディスク装置
１４…ディスプレイコントローラ
１５…キーボードコントローラ
１６…通信コントローラ
２１…レンズ
２２…絞り
２３…ＡＦモータ
２４…絞りモータ
２５…ＣＣＤ２次元カラーイメージセンサ（ＣＣＤ）
２６…ＣＣＤドライバ
２７…Ａ／Ｄ変換器
２８…ＡＥ処理部
２９…ＡＦ処理部
３０…画像処理部
３１…バッファメモリ
３２…表示処理部
３３…カラー液晶ディスプレイ（ＬＣＤ）
３４…圧縮／伸長部
３５…記録再生処理部
３６…記録媒体
３７…通信コントローラ
３８…システムコントローラ
３９…操作部
４０，４１…モータドライバ
４２…アイコン画像登録部
４３…メニュー表示制御部
４４…アイコン画像保持部
Ａ…インターネット
【図１】
0004499276.tif 000002
【図２】
0004499276.tif 000003
【図３】
0004499276.tif 000004
【図４】
0004499276.tif 000005
【図５】
0004499276.tif 000006
【図６】
0004499276.tif 000007
【図７】
0004499276.tif 000008
【図８】
0004499276.tif 000009
【図９】
0004499276.tif 000010